(57)【要約】【目的】  建物内を気密に保って冷暖房効率を向上させる回転扉装置のメリットを生かしながら、回転扉と開口仕切壁との間にユーザーが挟まれる事故を無くすことができる、挟まれ事故防止機能付き回転扉装置を提供する。【構成】  回転扉と、建物の外壁又は内壁と接続され前記回転扉により開閉される開口部を画するための開口仕切部と、を含む回転扉装置であって、前記開口仕切部は、前記回転扉の端部と対向する位置と前記回転扉の端部から離れる位置との間を移動可能に構成された移動部を備えたものである。【選択図】    図１
2005299135.tif 000002
【特許請求の範囲】
【請求項１】
回転扉と、建物の外壁又は内壁と接続され前記回転扉により開閉される開口部を画するための開口仕切部とを含む回転扉装置であって、
前記開口仕切部は、前記回転扉の端部と近接且つ対向する位置と前記回転扉の端部から離れる位置との間を移動可能に構成された移動部を備えている、ことを特徴とする挟まれ事故防止機能付き回転扉装置。
【請求項２】
請求項１において、
前記回転扉を構成する各扉は、その各端部と回転中心との間に弾性部材が介設されており、前記扉の端部は、前記弾性部材により、その扉の回転方向と反対の方向に所定距離だけ移動可能に構成されている、ことを特徴とする挟まれ事故防止機能付き回転扉装置。
【請求項３】
請求項１において、
前記開口仕切部は、
建物の外壁又は内壁と固定された断面略円弧状の支持部と、
前記支持部と略平行に配置され前記回転扉の端部と近接且つ対向する断面略円弧状の移動部と、
前記移動部を前記支持部に対して前記回転扉の回転方向又はこれと近い方向に移動自在に接続するための接続部と、
を備えている、ことを特徴とする挟まれ事故防止機能付き回転扉装置。
【請求項４】
請求項３において、前記支持部の前記回転扉を利用するユーザーから見て前後方向の端部と、前記移動部の前記回転扉を利用するユーザーから見て前後方向の端部との間には、外側方向に突出する略楕円状又は略円弧状の断面形状を有する壁部が備えられている、ことを特徴とする挟まれ事故防止機能付き回転扉装置。
【請求項５】
請求項３又は４において、前記移動部の底部には複数のキャスタが備えられている、ことを特徴とする挟まれ事故防止機能付き回転扉装置。
【発明の詳細な説明】
【技術分野】
【０００１】
本発明は、オフィスビル、病院、大学などの各種の建物に設置される回転扉装置に関する。
【背景技術】
【０００２】
従来より、オフィスビル、病院、大学などの出入り口に、回転扉装置が設置されることが多い。この回転扉装置は、スライド式ドアと比較して、建物内の気密を保ち冷暖房効率を高められるというメリットなどが注目されて、近年、設置する例が増加している。
【０００３】
図５は従来の自動式（モータ駆動式）の回転扉装置を示す図で、特許文献１より引用したものである。図５において、１０４はビル外壁、１０５は開口仕切壁（人の出入り用の開口部を形成する部分であって、後述の回転扉の端部と近接・対向する部分）、１０１は回転扉、１０２は回転扉、１０３は回転軸（回転中心）、１０６はエリアセンサ、である。この図５の例では、４枚の回転扉１０２によりＡ，Ｂ，Ｃ，Ｄの４のセクタに仕切られている。そして、直径方向に対向して位置する一対のＡ，Ｃの２つセクタが乗降部とされている。回転扉１０２は、前記乗降部とされるセクタＡ，Ｃが前記開口仕切壁１０５により形成される開口部と一致する位置で停止するように制御されている。また、前記乗降部であるセクタＡ，Ｃには、エリアＳに人が乗ったことを検知する赤外線式エリアセンサ１０６が備えてある。このエリアセンサ１０６からの出力により、前記回転扉１０２がモータにより１８０度だけ回転され、前記セクタＡ，Ｃが入れ替わる位置で静止される。
【０００４】
なお、図５の例は自動式（モータ駆動式）であるが、回転扉装置には、手動式のものもある。また、図５の例は４つの扉により仕切られる４つのセクタＡ，Ｂ，Ｃ，Ｄの中の対向するＡ，Ｃのみをユーザーが入れる部分（乗降部）としているが、４つのセクタＡ，Ｂ，Ｃ，Ｄの全てをユーザーが入れる部分としているタイプもある。また、３枚の扉を使用して３つのセクタに仕切るタイプもある。
【特許文献１】特開平７−２６８３６号公報
【発明の開示】
【発明が解決しようとする課題】
【０００５】
従来の回転扉装置では、回転扉１０２の端部とこれに対向する開口仕切壁１０５の端部との間にユーザー（特に子供などの弱者）が挟まれてしまうことによる死傷事故が、かなりの確率で生じていた。スライド式の扉に変更すればこのような死傷事故は減らすことができるが、スライド式扉では開口部から外気が建物内に入り込んでしまう時間が長くなるため、建物内の冷暖房効率が低下してしまう。
【０００６】
本発明は以上のような従来技術の課題に着目したものであって、建物内を気密に保って冷暖房効率を向上させる回転扉装置のメリットを生かしながら、回転扉と開口仕切壁との間にユーザーが挟まれる事故を無くすことができる、挟まれ事故防止機能付き回転扉装置を提供することを目的とする。
【課題を解決するための手段】
【０００７】
以上のような課題を解決するための本発明による挟まれ事故防止機能付き回転扉装置は、回転扉と、建物の外壁又は内壁と接続され前記回転扉により開閉される開口部を画するための開口仕切部と、を含む回転扉装置であって、前記開口仕切部は、前記回転扉の端部と近接且つ対向する位置と前記回転扉の端部から離れる位置との間を移動可能に構成された移動部を備えている、ことを特徴とするものである。
【０００８】
また、本発明による挟まれ事故防止機能付き回転扉装置においては、前記回転扉を構成する各扉は、その各端部と回転中心との間に弾性部材が介設されており、前記各扉の端部は、前記弾性部材により、前記弾性部材を支点として、各扉の回転方向と反対の方向に所定距離だけ移動可能に構成されている、ことが望ましい。
【０００９】
また、本発明による挟まれ事故防止機能付き回転扉装置においては、前記開口仕切部は、建物の外壁又は内壁と固定された断面略円弧状の支持部と、前記支持部と略平行に配置され前記回転扉の端部と近接且つ対向する断面略円弧状の移動部と、前記移動部を前記支持部に対して前記回転扉の回転方向又はこれと近い方向に移動自在に接続するための接続部と、を備えている、ことが望ましい。
【００１０】
また、本発明による挟まれ事故防止機能付き回転扉装置においては、前記支持部の前記回転扉を利用するユーザーから見て前後方向の端部と、前記移動部の前記回転扉を利用するユーザーから見て前後方向の端部との間には、外側方向（回転扉装置を利用しようとするユーザーに近づく方向）に突出する略楕円状又は略円弧状の断面形状を有する壁部が備えられている、ことが望ましい。
【００１１】
さらに、本発明による挟まれ事故防止機能付き回転扉装置においては、前記移動部の底部には複数のキャスタが備えられている、ことが望ましい。
【発明の効果】
【００１２】
本発明においては、前述のように、前記開口仕切部が、前記回転扉の端部と対向する位置と前記回転扉の端部から離れる位置との間を移動可能に構成されている。したがって、本発明によれば、もしユーザーが前記回転扉の端部と前記開口仕切部の端部との間に挟まれそうになったときは、前記開口仕切部がユーザーの身体に押されて前記回転扉から離れる方向に移動するので、ユーザーが前記回転扉の端部と前記開口仕切部の端部との間に挟まれて怪我をするなどの事故を有効に防止することができる。
【００１３】
また、本発明においては、前述のように、前記回転扉を構成する各扉の各端部と回転中心との間に弾性部材を介設している。したがって、本発明によれば、もしユーザーが前記回転扉の端部と前記開口仕切部の端部との間に挟まれそうになったときは、前記各扉の端部が、ユーザーの身体に押されて、前記弾性部材の部分からそのユーザーの身体から離れる方向に移動するようになるので、ユーザーが前記回転扉の端部と前記開口仕切部の端部との間に挟まれて怪我をするなどの事故を有効に防止することができる。
【００１４】
さらに、本発明においては、前述のように、前記支持部の前記回転扉を利用するユーザーから見て前後方向の端部と、前記移動部の前記回転扉を利用するユーザーから見て前後方向の端部との間に、前記回転扉を利用するユーザーから見て前後方向に突出した略円弧状の断面形状を有する壁部を備えている。したがって、本発明によれば、前記壁部により前記支持部と移動部との間の隙間から他人が建物内に不法侵入することを防止できると共に、前記壁部がユーザーから見て前後方向に突出した略円弧状の断面形状を有することから、ユーザーが前記壁部に当たって怪我をすることが防止できる。
【発明を実施するための最良の形態】
【００１５】
本発明を実施するための最良の形態は、以下の実施例２について述べるような形態である。
【実施例１】
【００１６】
図１は本発明の実施例１による手動式の回転扉装置を示す図である。図１において、１はビルの各室を仕切る内壁部（建物の外壁部でもよい）、２はこの内壁部１とヒンジ部３を介して接続された開口仕切壁（人の出入り用の開口部を形成する部分であって、後述の回転扉の各端部と近接・対向する部分）、４は後述の回転扉の回転中心となる回転軸、５は前記回転軸４に固定された回転扉、である。また、６は、前記回転扉５の途中部分に介設された、すなわち、前記回転扉５の回転軸４側の部分と回転扉５の外側端部５ａとの間に介設されたゴムなどの弾性部材である（なお前記弾性部材６は前記回転軸４と回転扉５との間に介設されていてもよい）。
【００１７】
本実施例１においては、前記回転扉５は、ユーザーの手動により、図示矢印α方向に回動する。また、本実施例１においては、前記開口仕切壁２は、前記ヒンジ部３を支点として、図示矢印β方向（開口仕切壁２の端部２ａに近づいてくる回動中の回転扉５の端部５ａから離れる方向）に回動可能に構成されている。また、図１において、前記ヒンジ部３には、前述のように図示β方向に回動した開口仕切壁２を元の位置に復帰させるための復帰用バネ３ａ（従来より建物のドアに備えられている復帰用部材、飲食店においてカウンタと客席との間を仕切るドアに使用されている復帰用部材などと同様のもの）が備えられている。
【００１８】
次に、図１（ｂ）を参照して本実施例１の動作を説明する。本実施例１においては、前述のように、前記回転扉５は、ユーザーの手動により、図示矢印α方向に回動する。今、ユーザーが図１（ａ）の矢印Ａで示す位置で回転扉５の端部５ａと開口仕切壁２の端部２ａとの間に挟まれそうになった場合について説明する。この場合、前記開口仕切壁２の端部２ａは、ユーザーの身体に押されて、前記ヒンジ部３を支点として、元の位置（図１（ｂ）の符号２ａ’で示す位置）から同矢印β方向（前記回転扉５の端部５ａから離れる方向＝前記回転扉５の回転方向に沿う方向）に移動する。
【００１９】
また、これと同時に、前記回転扉５の端部５ａは、ユーザーの身体に押されて、前記弾性部材６を支点として（前記弾性部材６が折れ曲がるように変形することによって）、元の位置（図１（ｂ）の符号５ａ’で示す位置）から同矢印γ方向（前記開口仕切壁２の端部２ａから離れる方向＝前記回転扉５の回転方向と反対の方向）に移動する。
【００２０】
以上より、本実施例１においては、図１（ａ）の図示Ａで示す位置でユーザーが回転扉５の端部５ａと開口仕切壁２の端部２ａとの間に挟まれそうになったときは、前述のように、前記開口仕切壁２の端部２ａが回転扉５の端部５ａから離れる方向（ユーザーから離れる方向）に移動すると共に、前記回転扉５の端部５ａが開口仕切壁２の端部２ａから離れる方向（ユーザーから離れる方向）に移動するので、ユーザーが回転扉５の端部５ａと開口仕切壁２の端部２ａとの間に挟まれて怪我をするという事態が有効に防止される。
【００２１】
なお、本実施例１においては、図１（ｂ）に示す位置に移動した開口仕切壁２は、その後（ユーザーの身体が前記Ａで示す位置から移動した後）、徐々に、前記ヒンジ部３の復帰用バネ３ａの作用により、図１（ａ）に示す元の位置（図１（ｂ）の符号２ａ’で示す位置）に自動的に復帰する。また、図１（ｂ）に示す位置に移動した回転扉５は、その後（ユーザーの身体が前記Ａで示す位置から移動した後）、徐々に、前記弾性部材６の復元力により、図１（ａ）に示す元の位置（図１（ｂ）の符号５ａ’で示す位置）に自動的に復帰するようになっている。
【実施例２】
【００２２】
次に、図２を参照して本発明の実施例２による自動式（モータ駆動式）回転扉装置の構成を説明する。図２（ａ）は本実施例２を示す平面図、図２（ｂ）はその正面図である。図２において、１１はビルの外壁部、２０は前記外壁部１１と固定された断面略円弧状の支持壁、１２は前記支持壁２０と所定の距離（例えば２０−３０ｃｍ）を介してこれと略平行に配置されており前記支持壁２０とヒンジ部１３を介して接続された断面略円弧状の開口仕切壁（人の出入り用の開口部を形成する部分であって、後述の回転扉の各端部と近接・対向する部分）、１４は後述の回転扉の回転中心となる回転軸（図示しないモータにより駆動される）、１５は前記回転軸１４に固定された回転扉、である。また、１６は、前記回転扉１５の途中部分に介設された、すなわち、前記回転扉１５の回転軸１４側の部分と回転扉１５の外側端部１５ａとの間に介設されたゴムなどの弾性部材である（なお前記弾性部材１６は前記回転軸１４と回転扉１５との間に介設されていてもよい）。
【００２３】
本実施例２においては、前記回転扉１５は、図示しないモータにより、図示矢印α方向に回動する。また、本実施例２においては、前記開口仕切壁１２は、前記ヒンジ部１３により、前記ヒンジ部１３の支持壁２０側端部１３ａを支点として、図示矢印β方向（開口仕切壁１２の端部１２ａに近づいてくる回動中の回転扉１５の端部１５ａから離れる方向＝図示矢印α方向と略平行な方向）に移動可能に構成されている。また、本実施例２において、前記ヒンジ部１３には、前述のように図示β方向に移動した開口仕切壁１２をその後に元の位置に復帰させるための復帰用部材（前記実施例１で説明した復帰用バネ３ａと同様の作用を奏するもの）が備えられている。
【００２４】
また、本実施例２においては、前記支持壁２０の各端部２０ａと前記開口仕切壁１２の各端部１２ａとの間には、断面略楕円（円弧）形状の壁部１７が備えられている（なお、前記壁部１７は、或る程度の変形・伸縮が可能な弾性材料により形成されてもよい）。前記壁部１７は、主として、権限の無い他人が前記支持壁２０と前記開口仕切壁１２との間の隙間から建物内に不法侵入することを防止するためのものである。なお、本実施例２では、前述のように、前記壁部１７が図示のように断面略楕円形状に形成されている（回転扉を介して出入りするユーザーから見て前後方向に突出するように且つ丸みを帯びるように形成されている）ので、ユーザーが前記支持壁２０の各端部２０ａ又は前記開口仕切壁１２の各端部１２ａに当たって怪我をすることが防止できるようになっている。
【００２５】
また、図２（ｂ）に示すように、前記開口仕切壁１２の底部には、複数のキャスタ２１が取り付けられている。このキャスタ２１により、前記開口仕切壁１２は、小さい力を加える（例えばユーザーの身体で押す）だけで図示矢印β方向（前記回転扉１５の回転方向と前記支持壁２０に近づく方向との中間の方向）に容易に移動可能となっている。また、図２（ｂ）において、２２は回転扉装置の上部に備えられた水平方向の断面が略半円形状（建物から突出するように形成されている）の天井枠である。
【００２６】
次に、図２及び図３を参照して本実施例２の動作を説明する。本実施例２においては、前述のように、前記回転扉１５は、図示しないモータにより、図示矢印α方向に回動する。今、ユーザーが図２（ａ）の矢印Ａで示す位置で回転扉１５の端部１５ａと開口仕切壁１２の端部１２ａとの間に挟まれそうになった場合について説明する。
【００２７】
この場合、前記開口仕切壁１２の端部１２ａは、ユーザーの身体に押されて、前記ヒンジ部１３の支持壁２０側端部１３ａを支点として、元の位置（図３の符号１２ａ’で示す位置）から、同矢印β方向（（前記回転扉１５の回転方向と前記支持壁２０に近づく方向との中間の方向＝前記回転扉１５の端部１５ａから離れる方向）に、所定距離（例えば１０−３０ｃｍ）だけ移動する（正確には、前記開口仕切壁１２の端部１２ａだけでなく、前記開口仕切壁１２全体が移動する）。
【００２８】
また、これと同時に、前記回転扉１５の端部１５ａは、ユーザーの身体に押されて、前記弾性部材１６を支点として（前記弾性部材１６が折れ曲がるように変形することによって）、元の位置（図３の符号１５ａ’で示す位置）から、同矢印γ方向（前記回転扉１５の回転方向と反対の方向＝前記開口仕切壁１２の端部１２ａから離れる方向）に、所定距離（例えば１０−３０ｃｍ）だけ移動する。
【００２９】
以上より、本実施例２においては、図２（ａ）の図示Ａで示す位置でユーザーが回転扉１５の端部１５ａと開口仕切壁１２の端部１２ａとの間に挟まれそうになったときは、前述のように、前記開口仕切壁１２の端部１２ａが回転扉１５の端部１５ａから離れる方向（図３の矢印β方向＝ユーザーから離れる方向）に移動すると共に、前記回転扉１５の端部１５ａが開口仕切壁１２の端部１２ａから離れる方向（図３の矢印γ方向＝ユーザーから離れる方向）に移動するので、ユーザーが回転扉１５と開口仕切壁１２との間に挟まれて怪我をするという事態が有効に防止される。
【００３０】
なお、本実施例２においては、図３に示す位置に移動した開口仕切壁１２は、その後（ユーザーの身体が前記Ａで示す位置から移動した後）、徐々に、前記ヒンジ部１３の復帰作用により、図２（ａ）に示すような元の位置（図３の符号１２ａ’で示す位置）に自動的に復帰する。また、図３に示す位置に移動した回転扉１５は、その後（ユーザーの身体が前記Ａで示す位置から移動した後）、徐々に、前記弾性部材６の復元力により、図２（ａ）に示す元の位置（図３の符号１５ａ’で示す位置）に自動的に復帰する。
【００３１】
以上、本発明の各実施例１，２について説明したが、本発明はこれらに限定されることなく、様々な変更が可能である。例えば、前記の各実施例においては、回転扉は、図４（ａ）に示すような、４枚の扉により４つのセクタ（ユーザーが出入りできる部分）Ａ，Ｂ，Ｃ，Ｄを形成するものを採用しているが、本発明においては、これに限られることなく、例えば、図４（ｂ）に示すような２つの扉により２つのセクタＡ，Ｂを形成するものを採用するようにしてもよい。また、本発明においては、回転扉は、例えば３枚の扉により３つのセクタを形成するものでもよい。また、本発明において、回転扉の駆動方法は、手動式でも自動式（モータ駆動式）でもどちらでもよい。さらに、本発明において、回転扉は、建物の外壁に設置されるものだけでなく、建物の内部の各室の仕切りのために設置されるものであってもよい。
【図面の簡単な説明】
【００３２】
【図１】本発明の実施例１による手動式回転扉装置を説明するための図。
【図２】（ａ）は本発明の実施例２による自動式回転扉装置を説明するための平面図、（ｂ）はその正面図。
【図３】本実施例２の動作を説明するための図。
【図４】本発明の回転扉装置に使用できる回転扉の例を説明するための図。
【図５】従来の回転扉装置の一例を示す図。
【符号の説明】
【００３３】
１          内壁部
２，１５             回転扉
２ａ，５ａ，１２ａ，１３ａ，１５ａ，２０ａ  端部
２，１２             開口仕切壁
３，１３             ヒンジ部
３ａ      復帰用バネ
４，１４             回転軸
５，１５             回転扉
６          弾性部材
１１      外壁部
１２      開口仕切壁
１６      弾性部材
１７      壁部
２０      支持壁
２１      キャスタ
【図１】
2005299135.tif 000003
【図２】
2005299135.tif 000004
【図３】
2005299135.tif 000005
【図４】
2005299135.tif 000006
【図５】
2005299135.tif 000007